(57)【要約】【課題】　ワイヤ式ヘッドフォンの不利点は上記のヘッドフォンを使ったときユーザが全くまたはほとんど動けないことである。ワイヤレスヘッドフォンの不利点は通常大きな体積を占めるし、重いことと、さらに多くの用途に使用できないことである。【解決手段】　本発明の目的は上記不利点を取り除くことである。ワイヤレス方式により送信された音声信号データを受信するためにワイヤレス型のヘッドフォンの受信部分は受信部分がプラグイン接続経由でワイヤレスヘッドフォンに取り外し可能な状態で接続できる点を特徴として、上記プラグイン接続は商業的に入手可能なプラグで、ワイヤ式ヘッドフォンができれば上記受信部分の上記プラグの部分に挿入できるよう設計されている方がよい。【選択図】図１
2004135280.tif 000002
【特許請求の範囲】
【請求項１】
　ワイヤレス方式により送信される音声信号データを受信するためのワイヤレスヘッドフォンの受信部分において、
　上記受信部分がヘッドフォンのプラグを収めるような形状を有している入れ子を備えることを特徴とする受信部分。
【請求項２】
　上記入れ子が、商業的に入手可能なヘッドフォンのプラグを収めるようになっていることを特徴とする請求項１に記載の受信部分。
【請求項３】
　受信部分が、受信電子機器とともにハウジング内に収容されるバッテリを含むことを特徴とする請求項１に記載の受信部分。
【請求項４】
　ハウジングが、その外側に、折り返しのクリップを備えることを特徴とする請求項１、請求項２または請求項３に記載の受信部分
【請求項５】
　増幅器も受信電子機器とともにハウジングの中に収容され、再生とボリュームの調整手段がハウジングの外側に設けられていることを特徴とする請求項１から４のいずれか１つに記載の受信部分。
【請求項６】
　請求項１から５のいずれか１つに記載の受信部分を備えたヘッドフォン。
【発明の詳細な説明】
【技術分野】
【０００１】
　本発明はヘッドフォンに関するものである。
【背景技術】
【０００２】
　ワイヤレスとワイヤ式の両方式のヘッドフォンは長い間知られてきた。
【発明の開示】
【発明が解決しようとする課題】
【０００３】
　ワイヤ式ヘッドフォンの不利点は、上記のヘッドフォンを使ったときユーザが全くまたはほとんど動けないことである。ワイヤレスヘッドフォンの不利点は、通常大きな体積を占めることと、重いことと、さらに多くの用途に使用できないことである。
【０００４】
　本発明の目的は上記不利点を取り除くことである。
【課題を解決するための手段】
【０００５】
　上記目的は請求項１に記載の特徴を備えるワイヤレスヘッドフォンにより達成される。有利なさらなる発展は請求項２以下で説明されている。
【発明を実施するための最良の形態】
【０００６】
　以前ののワイヤレスヘッドフォンでは、受信電子機器全体はヘッドフォンハウジングに収まり分離することはできない。上記受信電子機器はワイヤレスヘッドフォンの音響振動子にしっかりと接続されているので、既知のワイヤレスヘッドフォンは今までは特定の用途にしか用いられることが出来なかった。
【０００７】
　本発明によれば、少なくともワイヤレスヘッドフォンの受信電子機器がハウジングに収まり、プラグイン接続経由でヘッドフォンの残りの部分に接続されている。この場合、プラグイン接続はできれば商業的に入手可能なヘッドフォンのプラグに適合するようになっている方がよい。
【０００８】
　本発明による解決法によれば、ワイヤレスヘッドフォンは交換されたプラグイン接続経由で取り外し可能なモジュールを備え、上記モジュールにはできれば受信電子機器と、増幅器と、エネルギー貯蔵部（バッテリー）とが収納されていた方がよい。それ故上記モジュールとワイヤレスヘッドフォンを対応するプラグイン接続または商業的に入手可能なワイヤ式ヘッドフォンで接続したり、操作したりすることが可能である。
【０００９】
　受信モジュールの受信機は赤外線受信機でもよいし、ＨＦ帯受信機でもよいし、無線受信機（ＶＨＦ、ＤＡＢ、など）でもよい。また適切な調整方向[原文のまま（ｓｉｃ）]（回転式ノブ、ボタン、など）へ操作することにより再生、または音の大きさ、または受信を調整することが出来る。
【００１０】
　本発明は図で描かれた例示の具体例を参照して下記のさらなる詳細で説明されている。
【００１１】
　図１は本発明によるワイヤレスヘッドフォンの説明を示している。
【００１２】
　図２は受信モジュールと商業的に入手可能なヘッドフォンの接続を示している。
【００１３】
　基本的な説明では、図１は音響的再生を行う振動子を各々含む２つのヘッドフォンユニット２と３を備えたワイヤレスヘッドフォン１を示す。上記ヘッドフォンユニットのうち１つは、上記ヘッドフォンユニットがプラグイン接続[経由]で取り外し可能な受信モジュール４に接続されているのでプラグイン接続を備えている。上記モジュール４は受信電子機器と、増幅器と、エネルギー貯蔵部（例えばバッテリー）が収まったハウジング５を備えている。
【００１４】
　ハウジングとヘッドフォンユニットの間には、できれば例えば３．５ｍｍステレオジャックやそれに似たものなど、すなわち標準化されたプラグイン接続などの、商業的に入手可能なプラグイン接続を備えている方がよいが、ヘッドフォンの分野ではどのような接続も既に一般的なので、商業的に入手可能なワイヤ式のヘッドフォンの接続に上記ハウジングを接続することは多大な出費無しに可能である。（図２）
【００１５】
　本発明によるワイヤレスヘッドフォンにより一方ではワイヤレスヘッドフォンを接続したり操作することが可能となったが、他方では受信モジュールを取り外して上記受信モジュールに商業的に入手可能なヘッドフォンを取り付けることが可能となった。
【００１６】
　さらに、受信モジュールは無線受信機（ＶＨＦ、ＦＭ、ＡＭ、ＤＡＢ）も備えている。それ故両種類のヘッドフォンで通常の無線受信を聞くことも可能となっている。
【００１７】
　音声信号の受信機は、できれば適切な無線基地局を受信するよう方向付けられた赤外線受信機またはＨＦ受信機である方がよい。
【００１８】
　本発明によるワイヤレスヘッドフォンの受信モジュールは、以前不可能だった２つの使用方法、すなわちワイヤレスヘッドフォンとしての使用法と第２にワイヤ式ヘッドフォンとしての使用法を可能にする。
【００１９】
　本発明によるプラグイン接続が商業的に入手可能でない場合には、受信部分は適切なアダプタケーブルを使って商業的に入手可能な機器に接続する事が出来る。
【００２０】
　上記の実現可能な応用例は別にして、受信部分は増幅器、または補聴用増幅器、または携帯電話受信機、または他の受信機（ＮＧシステム、耳鳴りの指標（ｔｉｎｎｉｔｕｓ　ｍａｒｋｅｒｓ）、ＧＰあるいはＧＰＳ受信機）にクリップで留められていてもよい。またケーブルと増幅器を備えたクリップで留められたモジュールでもよい。
【００２１】
　携帯電話は受信部分に相当することが出来ないとこの際指摘される。なぜなら携帯電話は自身に取り付けられたスピーカーとマイクを備えているためである。
【図面の簡単な説明】
【００２２】
【図１】本発明によるワイヤレスヘッドフォンの説明を示している。
【図２】受信モジュールと商業的に入手可能なヘッドフォンの接続を示している。
【符号の説明】
【００２３】
　１　ワイヤレスヘッドフォン
　２　音響振動子を含むヘッドフォンユニット
　３　音響振動子を含むヘッドフォンユニット
　４　プラグイン接続経由で取り外し可能な受信モジュール
　５　受信電子機器と増幅器とエネルギー貯蔵部（例えばバッテリー）が収まったハウジング
【図１】
2004135280.tif 000003
【図２】
2004135280.tif 000004
【外国語明細書】
2004135280.tif 000005
2004135280.tif 000006
2004135280.tif 000007
2004135280.tif 000008
2004135280.tif 000009
2004135280.tif 000010
2004135280.tif 000011
2004135280.tif 000012